(57)【要約】【課題】    片手での装着を簡易化させるとともに、経時の把持や、高熱に成った部位の把持、炎等による危険を回避できる鍋つかみを提供する。【解決手段】  裏面生地と断熱性生地と表面生地と、裏面生地と断熱性生地と表面生地と積層して縫着した中心縫着部と、裏面生地に積層して縫着させた裏面耐熱性シートと、表面生地に積層した指入れ部耐熱性シートと、指入れ部耐熱性シートを覆うように積層した指入れ部生地と、指入れ部生地と裏面生地と断熱性生地と表面生地とを内包させた縁部テープと、縁部テープを縫着した縁部逢着部とを備え、縁部逢着部は縫着される指入れ部生地の下面と表面生地との間に中心方向から指が挿入し易いように充分な開口部が保てるように縫着すると共に、裏面耐熱性シートと指入れ部耐熱性シートとは耐熱性と断熱性と非滑性を有した部材で形成した。【選択図】    図１
0003109352.tif 000002
【実用新案登録請求の範囲】
【請求項１】
夫々の角部をアールとした略逆三角形状に形成した裏面生地と断熱性生地と表面生地と、該裏面生地と断熱性生地と表面生地と積層して上辺の中央部と下側角部とを縫着した中心縫着部と、前記裏面生地の下面の両角に夫々積層して周縁を逢着部で縫着させた下方が拡がるようにハ字状に対称させた傾斜部を有した夫々略半円状の裏面耐熱性シートと、前記表面生地の上面の上側両角に夫々積層して周縁を逢着部で縫着させた下方が拡がるようにハ字状に対称させた傾斜部を有した夫々略半円状の指入れ部耐熱性シートと、該夫々の指入れ部耐熱性シートを覆うように積層した夫々略半円状の指入れ部生地と、該夫々の指入れ部生地の角部辺と前記裏面生地と断熱性生地と表面生地との周縁をコ字状に折曲させて内包させた縁部テープと、該縁部テープを縫着した縁部逢着部とを備え、前記縁部逢着部は縫着される左右の指入れ部生地の下面と表面生地との間に中心方向から指が挿入し易いように充分な開口部が保てるように縫着すると共に、前記裏面耐熱性シートと前記指入れ部耐熱性シートとは耐熱性と断熱性と非滑性とを有した部材で形成したことを特徴とする鍋つかみ用グローブ。
【考案の詳細な説明】
【技術分野】
【０００１】  本考案は鍋つかみ用グローブに関するものであって、熱い鍋等を手で掴もうとする時に、簡単に素早く手に装着でき、且つ、スリップさせたり火傷したりすることが無く安全、確実に掴める鍋つかみ用グローブに関するものである。
【背景技術】
【０００２】  従来から、熱い鍋等を手で掴もうとする時に火傷等をすることから、フキンやタオル等を用いて掴もうとしていたが、フキンやタオル等は可燃性のもので火が着いたり、又、鍋等が滑ってしまって上手く掴めなかったりしている。【０００３】  その為に、例えば、先に開示されている、楕円形の基台（１）の上面に、半円状の二つの指覆い部（２）をのせ縁部（３）を縫い合わせ、それにより開口部（４）及び指挿入部（５）、この開口部（４）を通って指挿入部（５）に手を入れれば、片手にはめられる鍋つかみとなるもの（特許文献１参照）や、幼児の広げた手の全体を覆う程度の面積を有して、なべの取っ手等の過熱部分に当接される当接布１１と、この当接布１１の当接面とは反対面の略中央に幼児の手指が挿入し得る挿入空間１４を介在させ、かつこの挿入空間１４側縁を残して他を当接布１１の略外周にそって縫着した第一及び第二覆布１２・１３とにより構成したもの（特許文献２参照）や、手の平におさまるほどの大きさの鍋つかみ１でゴムまたは合成ゴムなどの柔軟な素材で、出来ており、さらに表面、裏面ともだいたい平たい面からなり、中ほどに折り曲げる部分２が形成されており、その折り曲げ部分２は折り曲げやすいようになっており、また、最長部の長さＡが１５ｃｍ以内であるもの（特許文献３参照）等が開示されている。
【特許文献１】特開平１０−３２８０５０号公報
【特許文献２】特開平７−２７５１３９号公報
【特許文献３】実開平４−６４３４４号公報
【考案の開示】
【考案が解決しようとする課題】
【０００４】  然し乍ら、先に開示された、楕円形の基台（１）の上面に、半円状の二つの指覆い部（２）をのせ縁部（３）を縫い合わせ、それにより開口部（４）及び指挿入部（５）、この開口部（４）を通って指挿入部（５）に手を入れれば、片手にはめられる鍋つかみとなっているものではあるが、左右の指挿入部が平行に向かい合っており、従って充分な開口部が保たれるように逢着されておらず、指を確実に挿入する為には両手での装着作業を必要としているのが実情であり、又、一般的な布素材で形成された基台（１）は熱が手に伝わり易く経時の把持や、高熱に成った部位の把持、又は、炎等による危険を有するものである。【０００５】  更に、幼児の広げた手の全体を覆う程度の面積を有して、なべの取っ手等の過熱部分に当接される当接布１１と、この当接布１１の当接面とは反対面の略中央に幼児の手指が挿入し得る挿入空間１４を介在させ、かつこの挿入空間１４側縁を残して他を当接布１１の略外周にそって縫着した第一及び第二覆布１２・１３とにより構成したもの幼児の広げた手の全体を覆う程度の面積を有して、なべの取っ手等の過熱部分に当接される当接布１１と、この当接布１１の当接面とは反対面の略中央に幼児の手指が挿入し得る挿入空間１４を介在させ、かつこの挿入空間１４側縁を残して他を当接布１１の略外周にそって縫着した第一及び第二覆布１２・１３とにより構成したものでも、挿入空間１４は有しているものの、一般的な布素材で形成された当接布１１には、経時の把持や、高熱に成った部位の把持、又は、炎等による危険を有するものである。
【課題を解決するための手段】
【０００６】  本考案の鍋つかみ用グローブは、前述の課題に鑑み、鋭意研鑽の結果、角部をアールとした略逆三角形状に形成した裏面生地と断熱性生地と表面生地と、裏面生地と断熱性生地と表面生地と積層して上辺の中央部と下側角部とを縫着した中心縫着部と、裏面生地の下面の両角に積層して周縁を逢着部で縫着させた裏面耐熱性シートと、表面生地の上面の上側両角に積層して周縁を逢着部で縫着させた指入れ部耐熱性シートと、指入れ部耐熱性シートを覆うように積層した指入れ部生地と、指入れ部生地の角部辺と裏面生地と断熱性生地と表面生地との周縁を内包させた縁部テープと、縁部テープを縫着した縁部逢着部とを備え、縁部逢着部は縫着される指入れ部生地の下面と表面生地との間に中心方向から指が挿入し易いように充分な開口部が保てるように縫着すると共に、裏面耐熱性シートと指入れ部耐熱性シートとは耐熱性と断熱性と非滑性を有した部材で形成したものである。
【考案の効果】
【０００７】  本考案の鍋つかみ用グローブは、左右の指入れ部生地の下面と表面生地との間に中心方向から指が挿入し易いように充分な開口部が保てるように縫着したことによって指の挿脱が容易で、更に、裏面生地と表面生地との間に断熱性生地を介装したことによって掌が熱くなることもなく、又、左右の指入れ部生地の内側には耐熱性と断熱性と非滑性を有した部材で形成した指入れ部耐熱性シートと裏面耐熱性シートとを積層させたことによって、指が熱く成って火傷をすることもなく、且つ、指先で掴んだものを滑落させることも皆無となるものである。
【考案を実施するための最良の形態】
【０００８】  本考案は鍋つかみ用グローブに関するものであって、熱い鍋等を手で掴もうとする時に、簡単に素早く手に装着でき、且つ、スリップさせたり火傷したりすることが無く安全、確実に掴める鍋つかみ用グローブに関するものであり、夫々の角部をアールとした略逆三角形状に形成した裏面生地１と断熱性生地２と表面生地３と、該裏面生地１と断熱性生地２と表面生地３と積層して上辺の中央部と下側角部とを縫着した中心縫着部４と、前記裏面生地１の下面の両角に夫々積層して周縁を逢着部５ａで縫着させた下方が拡がるようにハ字状に対称させた傾斜部５ｂを有した夫々略半円状の裏面耐熱性シート５と、前記表面生地３の上面の上側両角に夫々積層して周縁を逢着部６ａで縫着させた下方が拡がるようにハ字状に対称させた傾斜部６ｂを有した夫々略半円状の指入れ部耐熱性シート６と、該夫々の指入れ部耐熱性シート６を覆うように積層した夫々略半円状の指入れ部生地７と、該夫々の指入れ部生地７の角部辺と前記裏面生地１と断熱性生地２と表面生地３との周縁をコ字状に折曲させて内包させた縁部テープ８と、該縁部テープ８を縫着した縁部逢着部８ａとを備え、前記縁部逢着部８ａは縫着される左右の指入れ部生地７の下面と表面生地３との間に中心方向から指が挿入し易いように充分な開口部７ａが保てるように縫着すると共に、前記裏面耐熱性シート５と前記指入れ部耐熱性シート６とは耐熱性と断熱性と非滑性とを有した部材で形成したものである。
【実施例】
【０００９】  以下、本考案の鍋つかみ用グローブの実施例の図面を用いて詳細に説明すると、図１は本考案の鍋つかみ用グローブの実施例を説明するための概要平面図であり、図２は本考案の鍋つかみ用グローブの実施例を説明するための概要底面図であり、図３は本考案の鍋つかみ用グローブの実施例を説明するための要部断面図である。【００１０】  即ち、本考案の鍋つかみ用グローブの実施例の裏面生地１と断熱性生地２と表面生地３とは、図１乃至図２に図示する如く、角部をアールとした略逆三角形状、つまり、おむすび型に形成されているものであり、裏面生地１と断熱性生地２と表面生地３と積層されて後述するように逢着されるものであり、裏面生地１と表面生地３とは同様な布地で、断熱性生地２は耐熱性を有したポリエステル綿等の布地を用いるものである。【００１１】  そして、中心縫着部４は裏面生地１と断熱性生地２と表面生地３と積層して上辺の中央部と下方の下側角部とを縫着したもので、図１乃至図２に図示する如く、左右を対称的に二分割するように中心で縫着しており、使用の際に折曲を容易とするものである。【００１２】  次に、裏面耐熱性シート５は裏面生地１の下面の両角に夫々積層して周縁を逢着部５ａで縫着させているもので、略半円状の傾斜部５ｂを下方が拡がるようにハ字状に対称させているものである。【００１３】  次いで、指入れ部耐熱性シート６は表面生地３の上面の上側両角に夫々積層して周縁を逢着部６ａで縫着させているもので、略半円状の傾斜部６ｂを下方が拡がるようにハ字状に対称させているものである。【００１４】  更に、指入れ部生地７は表面生地３の上面の上側両角に夫々積層させた夫々の指入れ部耐熱性シート６を覆うように積層していもので、図１に図示する如く、指入れ部耐熱性シート６と同様な略半円状としており、中心方向には後述する指を挿入させるための開口部７ａを設けているものである。【００１５】  更には、縁部テープ８はコ字状に折曲させて両側の指入れ部生地７の角部辺と裏面生地１と断熱性生地２と表面生地３との周縁を内包させているものである。【００１６】  次に、縁部逢着部８ａは縁部テープ８を上下から縫着しているもので、つまり、両側の指入れ部生地７の角部辺と裏面生地１と断熱性生地２と表面生地３との周縁を縫着するものである。【００１７】  そして、開口部７ａは左右の指入れ部生地７の下面と表面生地３と間に若干のゆとりを設けて中心方向から容易に指が挿入するように縁部逢着部８ａを縫着するものである。【００１８】  更には、裏面耐熱性シート５と指入れ部耐熱性シート６とは耐熱性と断熱性と非滑性とを有したシリコンシート等の部材で形成したものであり、耐熱性と断熱性とを有しているため指入れ部生地７の開口部７ａから指を挿通させて熱い物を掴むとき、熱い物からの熱は全面に積層された断熱性生地２で遮断され、加えて、指先は裏面耐熱性シート５と指入れ部耐熱性シート６とで遮断され、非滑性を有しているために指先や熱い物が滑落することが皆無のものである。【００１９】  尚、図示する中心縫着部４の上端に環状に設けたものは後で縫着したもので、不要の時にフック等に吊り下げるための吊り下げ部９であり、任意のものである。
【産業上の利用可能性】
【００２０】  本考案の鍋つかみ用グローブは、指が挿入し易いように開口部を保って指入れ部生地を縫着したことにより指の挿脱が容易で、裏面生地と表面生地との間には断熱性生地を内装したことにより、掌が熱く成ることはなく、指先が当接する部位には耐熱性と断熱性と非滑性を有した部材を縫着したことにより、熱いものを把持しても指先に火傷をすることも掴んだものを滑落させることも皆無となるものであり、家庭用に、業務用に用いるものである。
【図面の簡単な説明】
【００２１】
【図１】  図１は本考案の鍋つかみ用グローブの実施例を説明するための概要平面図である。
【図２】  図２は本考案の鍋つかみ用グローブの実施例を説明するための概要底面図である。
【図３】  図３は本考案の鍋つかみ用グローブの実施例を説明するための要部断面図である。
【符号の説明】
【００２２】１      裏面生地
２      断熱性生地
３      表面生地
４      中心縫着部
５      裏面耐熱性シート
５ａ    逢着部
５ｂ    傾斜部
６      指入れ部耐熱性シート
６ａ    逢着部
６ｂ    傾斜部
７      指入れ部生地
８      縁部テープ
８ａ    縁部逢着部
９      吊り下げ部
【図１】
0003109352.tif 000003
【図２】
0003109352.tif 000004
【図３】
0003109352.tif 000005